【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
乳房を超音波的にスキャニングする装置において、
乳房（７２０）と接触して胸の方へ圧縮する形態とされている基本的に平面状のラジアルスキャニングテンプレート（１１２）が設けられており、該テンプレートは丸くされた周辺部（３０４）と乳房の乳首が飛び出す形態とされた乳首孔（２０４）とを具備しており、且つ該テンプレートは該中央孔から該テンプレートの周辺部へ延在している１個又はそれ以上の長尺状のスロット形状開口（２０２；５０６；６０６；７０６；８０４；９０４，９０６；１００４，１００６，１００８，１０１０，１０１２）を具備しており、
各々が該１個又はそれ以上のスロット形状開口の内の夫々の一つと整合しており且つそれに沿ってラジアル方向に延在している１個又はそれ以上の長尺状の超音波変換器（１１４）が設けられており、
前記テンプレートは該乳房を圧縮したままで該乳房上を回転する形態とされており、且つ該１個又はそれ以上の変換器は、夫々の１個又はそれ以上のスロット形状開口を介して超音波的に乳房をスキャンし且つ該乳房のオリジナルの２Ｄ超音波画像（１２０６，１２０８；１２３６，１２３８）を発生させるために、該テンプレートと共に回転する形態とされており、
コンピュータにより実現される画像処理及び表示ファシリティ（１４０４，１４０６，１４０８，１４０１）が該１個又はそれ以上の変換器と関連しており且つ該オリジナルの２Ｄ画像を受け取り且つそれを選択された厚さ及びオリエンテーションを有する該乳房の複数のスライスの画像へ処理する形態とされており、更に、オペレータの制御下において、該スライス画像から選択した少なくとも１個又はそれ以上の画像を表示させる形態とされている、
装置。
【請求項２】
該画像処理及び表示ファシリティが、該スライス画像から選択した１個又はそれ以上の画像の表示と同時的に、該２Ｄ画像から選択した１個又はそれ以上の画像を表示させる形態とされている請求項１記載の装置。
【請求項３】
該画像処理及び表示ファシリティが、第１の２Ｄ画像（１２０６）と第２の２Ｄ画像（１２３６）とを同時的に表示する形態とされており、それら両方の画像は第１の及び第２の２Ｄ画像が互いに直交しているように該オリジナルの２Ｄ画像から選択される請求項１記載の装置。
【請求項４】
該テンプレートが、２個又はそれ以上のスロット形状開口（９０４，９０６；１００４，１００６，１００８，１０１０，１０１２）と、該開口の夫々の一つと整合しており且つそれに沿ってラジアル方向に延在している２個又はそれ以上の超音波変換器と、を包含している請求項１記載の装置。
【請求項５】
該２個又はそれ以上の超音波変換器がラジアル長において互いに異なっている請求項４記載の装置。
【請求項６】
該２個又はそれ以上の超音波変換器がラジアル長における差異に加えて特性において互いに異なっている請求項４記載の装置。
【請求項７】
該テンプレートが非円形形状（１００２）を有しており且つ患者の乳房が該変換器によってスキャンされる場合に患者の脇の下に近づく形態とされたセクターにおいて一層大きなラジアル寸法を有する形態とされている請求項４記載の装置。
【請求項８】
該テンプレートの端部が患者の皮膚との鋭利な端部の接触を回避するために丸められた舌部（２０４ａ，３０４）が設けられている請求項１記載の装置。
【請求項９】
前記丸められた端部が該テンプレート（３０４）の周辺部においての端部と該テンプレート（２０４ａ）における該１個又はそれ以上の開口においての端部とを包含している請求項８記載の装置。
【請求項１０】
該１個又はそれ以上の変換器の少なくとも１個が乳房と凹状表面（１３１４ａ，１３１４ｂ）で接触する形態とされている下側面を具備している請求項１記載の装置。
【請求項１１】
該テンプレートがオーバーラップ角度（８２２−８２４）だけ３６０度を越えるスキャン角度にわたり１個又はそれ以上の変換器で乳房をスキャンする形態とされている請求項１記載の装置。
【請求項１２】
該テンプレートが５度−４５度の範囲内にあるオーバーラップ角度にわたりスキャンする形態とされている請求項１１記載の装置。
【請求項１３】
該１個又はそれ以上のスロット形状開口の内の少なくとも一つを横断して延在しており音響伝達媒体に浸透性のメンブレン（５１０，６１０，７１０）が設けられており、且つ該１個又はそれ以上の超音波変換器の内の少なくとも一つが該メンブレンを介して乳房をスキャンする請求項１記載の装置。
【請求項１４】
該基本的に平面状のラジアルスキャニングテンプレートが透明か又は少なくとも半透明の物質から形成されている請求項１記載の装置。
【請求項１５】
該基本的に平面状のラジアルスキャニングテンプレートが半剛性である請求項１記載の装置。
【請求項１６】
該基本的に平面状のラジアルスキャニングテンプレートは、該乳房が下方向圧縮状態にある場合に、滑りやすい接触をする形態とされている請求項１記載の装置。
【請求項１７】
患者の乳房を超音波的にスキャンする方法において、
２０度未満の逸れ角度を有する凹状内側表面で乳房と接触し且つそれを胸方向へ圧縮する形態とされているラジアルスキャニングテンプレート（１１２ａ）で乳房を胸方向へ圧縮し、該テンプレートは丸くされた周辺部と乳房の乳首が飛び出す形態とされている乳首孔（２０４）とを具備しており、且つ該テンプレートは該中央孔から該テンプレートの周辺部へ向けて延在している１個又はそれ以上の長尺状のスロット形状開口（２０２；５０６；６０６；７０６；８０４；９０４，９０６；１００４，１００６，１００８，１０１０，１０１２）を具備しており、
各々が該１個又はそれ以上のスロット形状開口の内の夫々の一つと整合されており且つそれに沿って延在している１個又はそれ以上の長尺状の超音波変換器（１１４）で、該テンプレートと該変換器とが乳房上を回転する間に、胸方向に圧縮されている乳房を超音波的にスキャンし、
１個又はそれ以上の変換器のスキャニングによって与えられる信号から乳房のオリジナルのラジアル２Ｄ超音波画像（１２０６，１２０８；１２３６，１２３８）を発生し、
該オリジナルのラジアル２Ｄ画像のものに対して計画した横断方向に準じ且つ選択した厚さとオリエンテーションとを持った乳房の複数のスライス（１２１０）の画像へコンピュータ処理し、
オペレータの制御下において、該複数のスライスの画像の内の少なくとも１個を表示する、
ことを包含している方法。
【請求項１８】
該圧縮ステップが、乳房を基本的に平面状のラジアルスキャニングテンプレート（１１２）で圧縮することを包含している請求項１７記載の方法。
【請求項１９】
音響的伝達媒体に対して浸透性であるメンブレン（５１０，６１０，７１０）を、乳房のスキャニング期間中に、乳房と該１個又はそれ以上の変換器との間に介在させることを包含している請求項１７記載の方法。
【請求項２０】
音響的伝達媒体に対して浸透性であるメンブレン（６１０，７１０）を、乳房のスキャニング期間中に、該テンプレートの乳房に面する側と乳房との間に介在させることを包含している請求項１９記載の方法。
【請求項２１】
該表示するステップが、該複数のスライス（１２１０）の画像の内の少なくとも１個の表示と同時に、互いに交差する面に準じる該オリジナルのラジアル２Ｄ画像の内の少なくとも２個を表示することを包含している請求項１７記載の方法。
【請求項２２】
該表示するステップが、スライス（１２１０）の表示された画像内の異常（１２５０）をクリックし、且つ該オリジナルのラジアル２Ｄ画像の内の該同時的に表示されている少なくとも２個において対応する異常（１２５１，１２５２）を自動的に表示することを包含している請求項２１記載の方法。